(57)【要約】【課題】表示部の拡大や追加をせずに数値を設定するメニューに加えて複数の自動調理コースから所望の調理コースを選択できるようにすること。【解決手段】所定の調理温度を設定して調理できる調理メニューが選択された状態で、調理温度を設定する温度選択ボタン５を操作すると温度などを数字にて表示する数字表示部２に複数の自動調理コースに各々対応した調理温度の表示と区別できるコース記号が順送りで表示され、コース記号が表示された状態でスタートボタン９を操作すると表示されたコース記号に対応した自動調理コースによる調理が開始される。これにより、表示部の拡大や追加をせずに、調理メニューに加えて複数の自動調理コースを選択できるようになる。【選択図】図１
2015001308.tif 000002
【特許請求の範囲】
【請求項１】
所定の調理温度を設定して調理できる温度調理メニューと、前記温度調理メニューに従属し予め決められたシーケンスで調理する複数の自動調理コースと、温度などを数字にて表示する数字表示部と、前記温度調理メニューの選択状態を示すメニュー表示部と、少なくとも前記温度調理メニューを選択できるメニューボタン、前記調理温度を設定する温度選択ボタン、および調理を開始するスタートボタンを有する入力手段を備え、前記メニュー表示部において前記温度調理メニューが選択された状態で前記スタートボタンを操作すると前記温度調理メニューが開始され、前記数字表示部に前記調理温度が表示され、前記温度選択ボタンを操作することにより前記調理温度の設定を変更でき、また、前記メニュー表示部において前記温度調理メニューが選択された状態で前記温度選択ボタンを操作すると前記数字表示部に前記複数の自動調理コースに各々対応した前記調理温度の表示と区別できるコース記号が順送りで表示され、前記コース記号が表示された状態で前記スタートボタンを操作すると表示された前記コース記号に対応した前記自動調理コースによる調理が開始されることを特徴とする加熱調理器。
【請求項２】
前記温度調理メニューが選択された状態で前記温度選択ボタンを操作した場合に前記コース記号が順送りで表示される際、前記複数の自動調理コースに対応した前記コース記号の表示が一巡すると、前記コース記号が表示される前の前記温度調理メニューが選択された状態に戻るようにした請求項１に記載の加熱調理器。
【請求項３】
所定の設定時間で調理できるタイマ調理メニューと、前記タイマ調理メニューに従属し予め決められたシーケンスで調理する複数の自動調理コースと、時間などを数字にて表示する数字表示部と、前記タイマ調理メニューの選択状態を示すメニュー表示部と、少なくとも前記タイマ調理メニューを選択できるメニューボタン、前記設定時間を設定する時間設定ボタン、および調理を開始するスタートボタンを有する入力手段を備え、前記メニュー表示部において前記タイマ調理メニューが選択された状態で前記スタートボタンを操作すると前記タイマ調理メニューが開始され、前記時間設定ボタンを操作することにより前記数字表示部に表示される前記設定時間を変更でき、また、前記メニュー表示部において前記タイマ調理メニューが選択された状態で前記時間設定ボタンを操作すると前記数字表示部に前記複数の自動調理コースに各々対応した前記設定時間の表示と区別できるコース記号が順送りで表示され、前記コース記号が表示された状態で前記スタートボタンを操作すると表示された前記コース記号に対応した前記自動調理コースによる調理が開始されることを特徴とする加熱調理器。
【請求項４】
前記タイマ調理メニューが選択された状態で前記時間設定ボタンを操作した場合に前記コース記号が順送りで表示される際、前記複数の自動調理コースに対応した前記コース記号の表示が一巡すると、前記コース記号が表示される前の前記タイマ調理メニューが選択された状態に戻るようにした請求項３に記載の加熱調理器。
【請求項５】
前記コース記号は、数字以外の表示を少なくとも１文字含ませて温度や時間の数字による表示と区別できるようにしたことを特徴とする請求項１〜４のいずれか１項に記載の加熱調理器。
【発明の詳細な説明】
【技術分野】
【０００１】
本発明は、一般家庭やレストラン及びオフィスなどで使用され、表示手段と操作手段を備えた加熱調理器に関するものである。
【背景技術】
【０００２】
従来の加熱調理器において、複数のメニューの中の所望のメニューを選択する際は、メニュー選択ボタンを押下して表示されるメニューを次々に切り替えて、所望のメニューを選択するようにしている（例えば、特許文献１参照）。
【０００３】
また、多くのメニューを素早く選択するために、調理メニューを所定のグループ毎に並べて連続して設定されるＩＤ番号で特定し、短縮メニューキーを操作すると対応したグループの最初のＩＤ番号を表示して、ダイヤルキーでＩＤ番号を変更できるようにしている（例えば、特許文献２参照）。
【先行技術文献】
【特許文献】
【０００４】
【特許文献１】特開２００９−２５８６号公報
【特許文献２】特開２００５−１８５９２２号公報
【発明の概要】
【発明が解決しようとする課題】
【０００５】
しかしながら前記従来の構成は、選択するメニューの数だけメニューを示す表示を用意する必要があり、また、メニューを増やすためには表示を小さくしたり、表示部分の面積を広げたりする必要があり、コストやデザイン上の課題があった。
【０００６】
また、調理温度を設定したり、調理時間を設定して調理するメニューと、その他の自動調理などのメニューとは入力手段が異なるため、多くの入力手段を用意する必要があることからコストアップを招き、かつ、選択肢が全て同列であることから同列のメニューを複数の操作部で選択するという操作が使用者にとって煩雑感を感じさせることがあるという課題もあった。
【０００７】
本発明は、前記従来の課題を解決するもので、表示部の拡大や追加をせずに数値を設定するメニューに加えて複数の自動調理コースを選択できるようにした加熱調理器を提供することを目的とする。
【課題を解決するための手段】
【０００８】
前記従来の課題を解決するために、本発明の加熱調理器は、所定の調理温度を設定して調理できる温度調理メニューと、前記温度調理メニューに従属し予め決められたシーケンスで調理する複数の自動調理コースと、温度などを数字にて表示する数字表示部と、前記温度調理メニューの選択状態を示すメニュー表示部と、少なくとも前記温度調理メニューを選択できるメニューボタン、前記調理温度を設定する温度選択ボタン、および調理を開始するスタートボタンを有する入力手段を備え、前記メニュー表示部において前記温度調理メニューが選択された状態で前記スタートボタンを操作すると前記温度調理メニューが開始され、前記数字表示部に前記調理温度が表示され、前記温度選択ボタンを操作することにより前記調理温度の設定を変更でき、また、前記メニュー表示部において前記温度調理メニューが選択された状態で前記温度選択ボタンを操作すると前記数字表示部に前記複数の自動調理コースに各々対応した前記調理温度の表示と区別できるコース記号が順送り
で表示され、前記コース記号が表示された状態で前記スタートボタンを操作すると表示された前記コース記号に対応した前記自動調理コースによる調理が開始されるようにしたものである。
【０００９】
これによって、複数の自動調理コースを表すために新たに複数の表示部を設ける必要が無く、温度調理メニューに従属した自動調理コースとして系統的に調理メニューおよび自動調理コースを扱える。
【００１０】
また、本発明の加熱調理器は、所定の設定時間で調理できるタイマ調理メニューと、前記タイマ調理メニューに従属し予め決められたシーケンスで調理する複数の自動調理コースと、時間などを数字にて表示する数字表示部と、前記タイマ調理メニューの選択状態を示すメニュー表示部と、少なくとも前記タイマ調理メニューを選択できるメニューボタン、前記設定時間を設定する時間設定ボタン、および調理を開始するスタートボタンを有する入力手段を備え、前記メニュー表示部において前記タイマ調理メニューが選択された状態で前記スタートボタンを操作すると前記タイマ調理メニューが開始され、前記数字表示部に前記設定時間が表示され、前記時間設定ボタンを操作することにより前記設定時間を変更でき、また、前記メニュー表示部において前記タイマ調理メニューが選択された状態で前記時間設定ボタンを操作すると前記数字表示部に前記複数の自動調理コースに各々対応した前記設定時間の表示と区別できるコース記号が順送りで表示され、前記コース記号が表示された状態で前記スタートボタンを操作すると表示された前記コース記号に対応した前記自動調理コースによる調理が開始されるようにしたものである。
【００１１】
これによって、複数の自動調理コースを表すために新たに複数の表示部を設ける必要が無く、タイマ調理メニューに従属した自動調理コースとして系統的に調理メニューおよび自動調理コースを扱える。
【発明の効果】
【００１２】
本発明の加熱調理器は、調理メニューの数を増やす場合においても、操作部の増設、表示エリアの拡大、表示部の増設および部品追加、フルドットタイプの表示への変更の必要が無いため、コストアップを抑えることができる。また、調理メニューを示す表示の種類を増やすことなく見やすい表示を実現でき、調理メニューおよび自動調理コースの選択が系統的に選択できるため、使用者にとって扱いやすい加熱調理器とすることができる。
【図面の簡単な説明】
【００１３】
【図１】本発明の実施の形態１における加熱調理器の操作表示部を示す図
【図２】本発明の実施の形態１における加熱調理器の自動調理コース選択時の一例を示す図
【図３】本発明の実施の形態１における加熱調理器のメニュー選択の流れの一例を示す図
【図４】本発明の実施の形態１における加熱調理器のメニュー選択の流れの他例を示す図
【発明を実施するための形態】
【００１４】
第１の発明は、所定の調理温度を設定して調理できる温度調理メニューと、前記温度調理メニューに従属し予め決められたシーケンスで調理する複数の自動調理コースと、温度などを数字にて表示する数字表示部と、前記温度調理メニューの選択状態を示すメニュー表示部と、少なくとも前記温度調理メニューを選択できるメニューボタン、前記調理温度を設定する温度選択ボタン、および調理を開始するスタートボタンを有する入力手段を備え、前記メニュー表示部において前記温度調理メニューが選択された状態で前記スタートボタンを操作すると前記温度調理メニューが開始され、前記数字表示部に前記調理温度が
表示され、前記温度選択ボタンを操作することにより前記調理温度の設定を変更でき、また、前記メニュー表示部において前記温度調理メニューが選択された状態で前記温度選択ボタンを操作すると前記数字表示部に前記複数の自動調理コースに各々対応した前記調理温度の表示と区別できるコース記号が順送りで表示され、前記コース記号が表示された状態で前記スタートボタンを操作すると表示された前記コース記号に対応した前記自動調理コースによる調理が開始されるようにしたものである。これにより、調理メニューの数を増やす場合においても、操作部の増設、表示エリアの拡大、表示部の増設および部品追加、例えばフルドットタイプの表示器の使用などの必要がなく、コストアップを抑制でき、調理メニューを示す表示の種類を増やすことなく見やすい表示にでき、調理メニューおよび自動調理コースの選択が系統的に分かりやすく選択することができる。
【００１５】
第２の発明は、特に第１の発明の加熱調理器において、前記温度調理メニューが選択された状態で前記温度選択ボタンを操作した場合に前記コース記号が順送りで表示される際、前記複数の自動調理コースに対応した前記コース記号の表示が一巡すると、前記コース記号が表示される前の前記温度調理メニューが選択された状態に戻るようにしたものである。これにより、温度調理モードの選択状態においてスタートボタンを押して調理を開始する前に設定温度の設定を予め行おうとして誤って温度選択ボタンを操作して自動調理コースを選択する状態になってしまっても操作の取り消しボタンを設けずに自動調理コースの選択操作から温度調理モードの選択状態に戻すことが容易にできる。
【００１６】
第３の発明は、所定の設定時間で調理できるタイマ調理メニューと、前記タイマ調理メニューに従属し予め決められたシーケンスで調理する複数の自動調理コースと、時間などを数字にて表示する数字表示部と、前記タイマ調理メニューの選択状態を示すメニュー表示部と、少なくとも前記タイマ調理メニューを選択できるメニューボタン、前記設定時間を設定する時間設定ボタン、および調理を開始するスタートボタンを有する入力手段を備え、前記メニュー表示部において前記タイマ調理メニューが選択された状態で前記スタートボタンを操作すると前記タイマ調理メニューが開始され、前記時間設定ボタンを操作することにより前記数字表示部に表示される前記設定時間を変更でき、また、前記メニュー表示部において前記タイマ調理メニューが選択された状態で前記時間設定ボタンを操作すると前記数字表示部に前記複数の自動調理コースに各々対応した前記設定時間の表示と区別できるコース記号が順送りで表示され、前記コース記号が表示された状態で前記スタートボタンを操作すると表示された前記コース記号に対応した前記自動調理コースによる調理が開始されるようにしたものである。これにより、調理メニューの数を増やす場合においても、操作部の増設、表示エリアの拡大、表示部の増設および部品追加、例えばフルドットタイプの表示器の使用などの必要がなく、コストアップを抑制でき、調理メニューを示す表示の種類を増やすことなく見やすい表示にでき、調理メニューおよび自動調理コースの選択が系統的に分かりやすく選択することができる。
【００１７】
第４の発明は、特に第３の発明の加熱調理器において、前記タイマ調理メニューが選択された状態で前記時間設定ボタンを操作した場合に前記コース記号が順送りで表示される際、前記複数の自動調理コースに対応した前記コース記号の表示が一巡すると、前記コース記号が表示される前の前記タイマ調理メニューが選択された状態に戻るようにしたものである。これにより、タイマ調理モードの選択状態においてスタートボタンを押して調理を開始する前にタイマ時間の設定を予め行おうとして誤って時間設定ボタンを操作して自動調理コースを選択する状態になってしまっても操作の取り消しボタンを設けずに自動調理コースの選択操作からタイマ調理モードの選択状態に戻すことが容易にできる。
【００１８】
第５の発明は特に第１〜第４のいずれか１つの発明のコース記号は、数字以外の表示を少なくとも１文字含ませて温度や時間の数字による表示と区別できるようにした。これにより、数字表示部に温度や時間を表示している状態との区別が明確にでき、使用者がひと
目で自動調理コースの選択中であることが分かるようにでき、見間違いによる操作のミスを防ぐことができる。
【００１９】
以下、本発明の実施の形態について、図面を参照しながら説明する。なお、この実施の形態によって本発明が限定されるものではない。
【００２０】
（実施の形態１）
図１は本発明の第１の実施の形態における加熱調理器の操作表示部を示す図、図２は本発明の実施の形態１における加熱調理器の自動調理コース選択時の一例を示す図、図３は本発明の実施の形態１における加熱調理器のメニュー選択の流れの一例を示す図、図４は本発明の実施の形態１における加熱調理器のメニュー選択の流れの他例を示す図である。
【００２１】
図１において、メニュー表示部１に「加熱」「揚げ物」「焼き物」「湯沸かし」の調理メニューが選択的に表示され、特に被加熱物である鍋や調理プレートなどが所定の温度になるように制御される温度調理メニューである「揚げ物」および「焼き物」が選択されているときは数字表示部２に調理温度が表示される。なお、メニュー表示部１の鍋形状の表示は加熱中に被加熱物が無いことを検知したときに表示する「鍋なし」表示である。入力手段３は使用者がタッチして操作する各種ボタンをまとめて配置している。メニューボタン４の操作によりメニュー表示部１に表示される調理メニュの選択が変更され、温度調理メニューが選択されているときにスタートボタン９を操作して調理開始されると、数字表示部２には初期設定の調理温度が表示され、初期設定の調理温度は「揚げ物」メニューのときは「１８０」が、「焼き物」メニューのときは「２３０」が表示される。表示されている調理温度は温度上昇ボタン５ａの操作により高い温度に変更でき、温度下降ボタン５ｂの操作により低い温度に変更できる。
【００２２】
なお、メニューボタン４でメニュー表示部１の表示を「加熱」にしたときにスタートボタン９を操作すると加熱モードによる一定火力の調理加熱が開始され、加熱モード中は火力表示１０に火力の強さを表示する。このとき、初期設定の火力の強さは「５」であり、火力表示１０には「保温」〜「５」までの全ての表示が点灯し、「６」〜「９」までの表示は消灯する。加熱モードの火力の強さは温度上昇ボタン５ａおよび温度下降ボタン５ｂの操作によりそれぞれ火力の上昇および火力の下降を１段階ずつ行うことができる。
【００２３】
また、メニュー表示部１の「加熱」が表示された状態においては上記加熱モードのみならず、所定の設定時間で調理できるタイマ調理メニューを兼ねており、加熱モードにて動作中に時間上昇ボタン７ａまたは時間下降ボタン７ｂを操作すると調理の設定時間が数字表示部２に表示され、設定時間は時間経過に従い減算され、「０」になるとタイマ調理メニューを終了する。表示されている設定時間はタイマ調理メニューの調理中において時間上昇ボタン７ａの操作により時間を長く変更でき、時間下降ボタン７ｂの操作により時間を短く変更できる。なお、タイマ調理メニューの選択は、加熱モードからの遷移ではなく、メニュー表示部１にメニューボタン４で直接選択できるメニューとして追加してもよい。
【００２４】
以上のように構成された加熱調理器について、以下その動作、作用を説明する。
【００２５】
まず、加熱調理器の待機状態時にメニューボタン４が操作される毎に、メニュー表示部１の調理メニューを表す各表示が順に切り替わり、現在選択されているメニューを表示する。表示方法としては、選択されている調理メニューに対応する表示を点灯し、非選択の調理メニューに対応する表示を消灯させる方法、選択されている調理メニューに対応する表示を点滅させる方法などが考えられるが、本実施の形態においては使用者がどのメニューを選択しているかが認識できればその方法は問わない。
【００２６】
メニューボタン４により温度調理メニューである「揚げ物」または「焼き物」が選択された状態でスタートボタンが操作されると、設定された温度に被加熱物の温度を自動調節しながら加熱する温度調節加熱動作が開始される。温度調節加熱動作中は、数字表示部２に調理温度の設定値を表示し、温度上昇ボタン５ａまたは温度下降ボタン５ｂにより調理温度を切り替えて、被加熱物の制御温度を設定することができる。
【００２７】
一方、メニューボタン４により温度調理メニューが選択された状態で温度上昇ボタン５ａまたは温度下降ボタン５ｂが操作されると、自動調理コースに対応するコース記号が数字表示部に表示され自動調理コースのいずれかが選択されていることを表示し、スタートボタン９を操作すると選択されている自動調理コースに応じた加熱調理シーケンスが開始される。
【００２８】
ここで、温度調理メニューを「焼き物」としたときの操作の流れについて図３を参照しながら説明する。電源をオンにすると待機状態となり、メニューボタン４のみが操作できる状態となる。まずメニューボタン４を操作するとメニュー表示部１に「加熱」が表示され、続けてメニューボタン４を操作すると「揚げ物」が表示され、さらに続けてメニューボタン４を操作すると「焼き物」が表示される。ここで温度上昇ボタン５ａを操作すると自動調理コースの選択ループに入り、数字表示部２には「Ａ−１」が表示される。続いて温度上昇ボタン５ａを操作すると「Ａ−２」が表示され、さらに続けて温度上昇ボタン５ａを操作すると「Ａ−３」が表示される。本実施の形態においては、「焼き物」メニューに従属する自動調理コースは３つとしており、例えば、冷凍餃子、お好み焼き、ホットケーキなどに適した調理シーケンスが設定されている。そして、数字表示部２に「Ａ−３」が表示された状態でさらに温度上昇ボタン５ａを操作すると自動調理コースの先頭である「Ａ−１」の表示に戻るようにループ状の操作形態となっている。なお、温度上昇ボタン５ａを操作する代わりに温度下降ボタン５ｂを操作すると上記のループとは逆の方向に遷移するようにしている。また、自動調理コースのループ操作から抜け出すときは、メニューボタン４を操作することで、従属元のメニューの次のメニューを選択している状態に移行することができる。例えば、「焼き物」に従属する自動調理コース「Ａ−１」〜「Ａ−３」を選択中にメニューボタン４を操作すると、「湯沸し」メニューに移行できるようにしている。また、図示していないが待機状態に強制的に移行する「切」ボタンや自動調理コースに移行する前の状態である「焼き物」メニューに戻る「取消」ボタンなどを操作することで自動調理コースの選択ループから抜けることも可能である。
【００２９】
自動調理コースは、あらかじめ決められたレシピに対して最適な温度設定、温度変化、調理時間、具材の投入タイミングの報知などを設定された一連の調理シーケンスに基づいて自動で調理制御するもので、温度調理メニューまたはタイマ調理メニューに従属した選択肢として複数の自動調理コースが記憶されている。調理開始前の温度調理メニューが選択されている状態で温度上昇ボタン５ａまたは温度下降ボタン５ｂを操作することにより温度調理メニューに従属する複数の自動調理コースの中から順次選択できる。また、調理開始前の加熱メニューが選択されている状態で時間上昇ボタン７ａまたは時間下降ボタン７ｂを操作することにより上記「焼き物」メニューに従属する自動調理コースの選択と同様にタイマ調理メニューに従属する複数の自動調理コースの中から順次選択できる。
【００３０】
メニュー表示部１の表示が「焼き物」のときに温度上昇ボタン５ａを２回操作したときの操作表示部の例を図２に示した。メニュー表示部１には「焼き物」のみが点灯し、数字表示部２には自動調理コースＡ−２を示す「Ａ−２」が表示されており、使用者は数字表示部２に表示された「Ａ−２」を見るだけで焼き物メニューの「Ａ−２」に対応した例えばお好み焼きの自動調理コースが選択されていると認識でき、その後、スタートボタン９を操作すると自動調理コース「Ａ−２」の調理が開始される。
【００３１】
本実施の形態における数字表示部２は７セグメント表示で構成している。調理温度とタイマ時間は数字で表示されるため、各自動調理コースに対応するコース記号が数字で表した場合は調理温度やタイマ時間の設定値と一見混同する可能性があるため、数字表示部２に表示する各自動調理コースと対応するコース記号の各々について少なくとも１文字を「Ａ」や「−」などの７セグメント表示で表示可能な文字または記号とすることにより、調理温度やタイマ時間の設定値の表示と区別でき、現在の選択状態を見誤りにくいようにすることができる。
【００３２】
なお、設定温度を変更するためのボタンおよびタイマ時間を変更するためのボタンは、それぞれ上昇と下降の複数のボタンで操作できるようにしたが、１つのボタンで押下毎に設定が例えば上昇方向にのみ変化し、最大値に達すると次の操作で最小値に戻るようにしたものでもよい。
【００３３】
また、前記ループ状の操作体系において、図４に示す操作の流れのように選択ループに自動調理コースの従属元のメニューを入れて選択ループ内で元のメニューに戻れるようにしてもよい。例えば、「焼き物」メニューから温度上昇ボタン５ａを３回操作して数字表示部２に「Ａ−３」が表示された状態で、さらに温度上昇ボタン５ａを操作すると、従属元のメニューである「焼き物」メニューに戻り、さらに温度上昇ボタン５ａを操作すると自動調理コースの先頭である「Ａ−１」の表示に移行するようにループ状の操作形態とする。そうすれば、自動調理コースの選択ループからメニュー選択に戻りたい場合に「戻る」ボタンや「取消」ボタンのような自動調理コースの選択ループからメニュー選択に戻るための操作ボタンを必要とせずに自動調理コースの選択状態からメニュー選択の操作状態に戻ることができる。
【００３４】
なお、本実施の形態では、温度調理メニューとして「焼き物」メニューを例に説明しているが、調理温度を設定して調理する調理メニューであれば他の名称や他のメニューであってもよく、例えば温度調理メニューを複数有するものであったとしても同様の効果を得ることができる。また、温度調理メニューに従属する自動調理コースとタイマ調理メニューに従属する自動調理コースは何れか一方のみであってもよく、それぞれに同じ自動調理コースが含まれていても、全く同じ自動調理コース群であってもよい。
【００３５】
また、温度調理メニューの選択状態から自動調理コースの選択状態に移行するボタンは温度選択ボタン５であるとしたが、時間設定ボタン７を有するのであれば時間設定ボタン７であってもよく、同様にタイマ調理メニューの選択状態から自動調理コースの選択状態に移行するボタンは時間設定ボタン７であるとしたが、温度選択ボタン５を有するのであれば温度選択ボタン５であってもよい。そうすることにより、スタートボタン９の操作による調理開始の前において調理温度またはタイマ時間の設定を温度選択ボタン５または時間設定ボタン７により予め設定してから調理を開始することができ、調理開始の前後において温度選択ボタン５または時間設定ボタン７の意味づけを統一できるので分かりやすい操作体系とすることができる。但し、温度調理メニューとタイマ調理メニューの双方に従属した自動調理コースを有する場合はメニューにより自動調理コースの選択状態に移行するボタンが異なることになり分かりにくい操作体系になるため、当該操作体系は温度調理メニューとタイマ調理メニューの何れか一方のみに自動調理コースが従属する場合にのみ採用するようにするべきである。
【００３６】
このように、本実施の形態における加熱調理器では、数字表示部に自動調理コースと各々対応する記号を表示することで、調理メニューおよび自動調理コースの選択が系統的に選択でき、調理メニューの数を増やす場合においても、操作部の増設、表示エリアの拡大、表示部の増設および部品追加、フルドットタイプの高価な表示部を使用しなくても簡単
に複数の自動調理コースから所望する自動調理コースを選択することが可能となる。また、調理温度の表示やタイマ時間の表示と自動調理コースに対応するコース記号とを見誤りにくくできる。
【産業上の利用可能性】
【００３７】
以上のように、本発明による加熱調理器は、温度選択ボタンまたは時間設定ボタンにてメニュー内の設定値の変更ができ、メニューに従属する複数のコースを選択する操作体系を有するものにおいて、表示部の拡大や増設を行わずにコースを選択することができ、温度表示や時間表示とコース表示とを見誤らないよう識別可能とできるので、複数のメニューを有し、メニュー内の設定数値の変更を行う他の調理機器を含む電化製品にも適用できる。
【符号の説明】
【００３８】
１    メニュー表示部
２    数字表示部
３    入力手段
４    メニューボタン
５    温度選択ボタン
５ａ  温度上昇ボタン
５ｂ  温度下降ボタン
７    時間設定ボタン
７ａ  時間上昇ボタン
７ｂ  時間下降ボタン
９    スタートボタン
１０    火力表示
【図１】
2015001308.tif 000003
【図２】
2015001308.tif 000004
【図３】
2015001308.tif 000005
【図４】
2015001308.tif 000006